(57)【特許請求の範囲】
【請求項１】
花き類を収容して輸送可能な外箱内に配置され、前記花き類の鮮度を保持する鮮度保持容器であって、
前記花き類の茎を収容する収容口を兼ねる注水口部分を有する蓋部と、その蓋部の両端部から下方に延びて当該容器を前記外箱内に据え置き可能とする両側の支持脚部とが、１枚の厚紙から門形状に曲げられて形成され、それら支持脚部が対向する方向と直角な方向に開放空間を有する容器本体と、
前記蓋部の注水口部分に連通する注水口部分を有して前記蓋部の裏面に固定され、水を収容可能な非透水性シートで形成された可撓性を有する袋部と、を備え、
前記蓋部及び支持脚部が平面状に展開された状態の前記容器本体の前記蓋部裏面に、前記可撓性を有する袋部が扁平状に保持される非使用状態から、前記容器本体の前記蓋部の両側の支持脚部がそれぞれ内側に曲げ込まれて門形状に起立した使用状態となり、その状態で前記蓋部及び袋部の注水口部分から袋部内に水が注水されることにより袋部が前記開放空間において拡開し、かつ前記花き類の切茎端部が前記蓋部及び袋部の注水口部分を経て前記袋部内の水収容部分に挿入され、前記花き類の茎部分が前記蓋部の注水口部分で保持され、前記蓋部を前記支持脚部で支持し前記花き類を立てた状態で保持することを特徴とする鮮度保持容器。
【請求項２】
厚紙を折ることにより前記蓋部の両側に一対の前記支持脚部が形成され、前記蓋部をほぼ水平状態にして箱状の出荷箱内に前記容器本体が据え置きされ、一対の前記支持脚部の間に前記袋部が前記蓋部から垂下した状態に配置されたことを特徴とする請求項１に記載の鮮度保持容器。
【請求項３】
前記蓋部は、蓋部の対向する側辺からそれぞれ中央寄りに離間した位置に区画線が形成され、その区画線に沿って開口されるように蓋部側注水口部分を構成することを特徴とする請求項１又は２に記載の鮮度保持容器。
【請求項４】
厚紙で形成され、一対の前記支持脚部を連結する連結部材を備え、
当該容器が横倒し状態のときに、前記連結部材が前記袋部の腹部に当接して袋部注水口側への水の移動を阻止する状態を呈することを特徴とする請求項１ないし３のいずれか１項に記載の鮮度保持容器。
【請求項５】
一対の前記支持脚部に切欠部がそれぞれ形成され、この切欠部に前記連結部材に形成された切欠部が係止し、前記支持脚部下端が相互に近づくように傾斜した状態に連結したことを特徴とする請求項４に記載の鮮度保持容器。
【請求項６】
厚紙に切込みを形成し、厚紙を折ることにより一対の前記支持脚部が形成される際に、前記蓋部の両側に突出する突出部を有する第１切起こし部が形成され、この第１切起こし部の突出部が出荷箱の両側壁に当接可能とすることを特徴とする請求項２又は３に記載の鮮度保持容器。
【請求項７】
厚紙に切込みを形成し、厚紙を折ることにより一対の前記支持脚部が形成される際に、前記第１切起こし部とは反対側の前記蓋部に、蓋部の両側に突出する突出部を有する第２切起こし部が形成され、この第２切起こし部を前記支持脚部側に折ることにより、前記支持脚部のそれぞれ端面に、前記第２切起こし部に形成された切欠部がそれぞれ係止し、一対の前記支持脚部を連結することを特徴とする請求項６に記載の鮮度保持容器。
【請求項８】
前記袋部は、シート両端部で袋綴じされ、重ね合わされた上のシート部分に区画線が形成され、その区画線に沿って開口されるように袋部側注水口部分を構成し、水収容底部に溶着部分を有しないことを特徴とする請求項１ないし７のいずれか１項に記載の鮮度保持容器。
【請求項９】
前記袋部は、相対向する腹部が谷折りされ、前記袋側注水口を形成する区画線を有した上のシート部分が前記蓋部に固定され、水を収容したときに前記谷折り部分が開き収容空間が形成されることを特徴とする請求項８に記載の鮮度保持容器。
【請求項１０】
前記蓋部側注水口部分を形成する区画線に沿って開口したときに同時に前記袋部側注水口部分を形成する区画線が切離され、前記蓋部側注水口部分に舌片が形成されることを特徴とする請求項８又は９に記載の鮮度保持容器。
【請求項１１】
前記袋部側注水口の開口縁の縦方向及び横方向の幅は、前記蓋部側注水口の開口縁の縦方向及び横方向の幅よりも大であることを特徴とする請求項１ないし１０のいずれか１項に記載の鮮度保持容器。
【請求項１２】
前記蓋部の下面における前記蓋部側注水口の開口周縁の外側に、前記袋部の重ね合わされた上のシートが、周状の接着面を有し固定されたことを特徴とする請求項１ないし１１のいずれか１項に記載の鮮度保持容器。
【請求項１３】
前記蓋部に対して前記両側の支持脚部が互いに内向きにそれぞれ直角を超えて折り曲げられて、一対の支持脚部が下側ほど間隔が狭くなるテーパ状に形成され、かつそれらテーパ状の支持脚部を連結する両者の間隔及び角度を固定する厚紙製の連結部材が設けられ、かつその連結部材の両端部は各支持脚部より外側にかつ前記蓋部の両端の下方延長線上まで突き出ており、その連結部材の両端が前記蓋部の両端と協働して、前記外箱内での当該鮮度保持容器の位置決めの作用をなす請求項１に記載の鮮度保持容器。
【発明の詳細な説明】
【技術分野】
【０００１】
本発明は、花き類の鮮度を保持する鮮度保持容器に関する。
【背景技術】
【０００２】
従来、切り花、鉢植えの花き類の鮮度を保持するための容器として、段ボール、プラスチック及びそれらを組合せた種々の容器が使用されている。鮮度を保持して生産地から市場等へ輸送するには、花き類を立てた状態で輸送するのが最適である。例えば特許文献１に示すように、発泡プラスチックを用いて構成した輸送に適した容器の提案がある。
【０００３】
【特許文献１】実開平７―６１７３号公報
【発明の開示】
【発明が解決しようとする課題】
【０００４】
しかしながら、特許文献１では発泡プラスチックを用いてコスト的にも高くなる問題があった。また、容器を受け取った側で再利用する場合を除いて、使用済みの容器を廃棄処分するときに、処理するのに適したものではなかった。さらに、水を入れたまま輸送中に容器が横倒しになることもあり、水漏れが発生するおそれもある。
【０００５】
本発明は上記した背景をもとになされたもので、コストが安く、リサイクルが容易にでき、輸送中も安定して花き類を保持し、横倒し時も水が流出しにくい鮮度保持容器を提供することを課題とする。
【課題を解決するための手段及び発明の効果】
【０００６】
上記課題を解決するために本発明鮮度保持容器は、花き類を収容して輸送可能な外箱内に配置され、前記花き類の鮮度を保持する鮮度保持容器であって、
前記花き類の茎を収容する収容口を兼ねる注水口部分を有する蓋部と、その蓋部の両端部から下方に延びて当該容器を前記外箱内に据え置き可能とする両側の支持脚部とが、１枚の厚紙から門形状に曲げられて形成され、それら支持脚部が対向する方向と直角な方向に開放空間を有する容器本体と、
前記蓋部の注水口部分に連通する注水口部分を有して前記蓋部の裏面に固定され、水を収容可能な非透水性シートで形成された可撓性を有する袋部と、を備え、
前記蓋部及び支持脚部が平面状に展開された状態の前記容器本体の前記蓋部裏面に、前記可撓性を有する袋部が扁平状に保持される非使用状態から、前記容器本体の前記蓋部の両側の支持脚部がそれぞれ内側に曲げ込まれて門形状に起立した使用状態となり、その状態で前記蓋部及び袋部の注水口部分から袋部内に水が注水されることにより袋部が前記開放空間において拡開し、かつ前記花き類の切茎端部が前記蓋部及び袋部の注水口部分を経て前記袋部内の水収容部分に挿入され、前記花き類の茎部分が前記蓋部の注水口部分で保持され、前記蓋部を前記支持脚部で支持し前記花き類を立てた状態で保持することを特徴とする。
【０００７】
上記本発明の鮮度保持容器は、外箱（例えば出荷箱）内に据え置かれ支持脚部で動かないようにした構造のため、輸送中などにも花き類を立てた状態で安定して保持できる。また、厚紙（例えば段ボール）と非透水性シート（例えばポリエチレン製シート）で形成された袋部とで鮮度保持容器が構成され、コスト的にも安くでき、かつ使用済みの容器を厚紙と袋とに分離すればリサイクルが容易にでき、厚紙を資源として再利用することも可能である。
【０００８】
具体的には、厚紙を折ることにより蓋部の両側に一対の支持脚部が形成することができ、蓋部をほぼ水平状態にして箱状の出荷箱内に容器本体を据え置き、一対の支持脚部の間に袋部が蓋部から垂下した状態に配置するようにできる。このように厚紙を折ることにより支持脚部を形成でき、製造コストを安くでき、また水が収容される袋部を一対の支持脚部で安定して支持でき、輸送中の振動などに対しても安定して支持できる。
【０００９】
また、蓋部は、蓋部の対向する側辺からそれぞれ中央寄りに離間した位置に区画線が形成され、その区画線に沿って開口するように蓋部側注水口部分を構成することができる。このように、蓋部に区画線（例えばミシン目又はスリット）が形成され、中央寄りに開口する蓋部側注水口部分を構成しており、容器が横倒し状態になったときに、蓋部の側辺から開口位置までの離間した部分が壁となり、袋部内の水が蓋の開口部分から外へ移動するのを阻止し、水が流出しにくい。また、区画線に沿って開口したときに、例えば蓋部に舌片が形成されるようにすることができ、この舌片で防止壁を形成すればさらに水の流出防止効果を高められる。
【００１０】
また、厚紙で形成し、一対の支持脚部を連結する連結部材を備えることができる。当該容器が横倒し状態のときに、連結部材は袋部の腹部に当接して袋部注水口側への水の移動を阻止する状態を呈することができる。このように、連結部材を設けることにより、支持脚部を補強するとともに、横倒し状態になったとしても連結部材が防水壁となり、前述の蓋部による防水壁と２重の壁が形成され、水が一層流出しにくい効果を奏する。
【００１１】
さらに、一対の支持脚部に切欠部をそれぞれ形成し、この切欠部に連結部材に形成した切欠部が係止し、支持脚部下端が相互に近づくように傾斜した状態に連結することができる。このように、支持脚部を傾斜した状態とすることにより、袋部の底部が狭められた状態となり水の無駄がなくなる効果を奏することができる。
【００１２】
厚紙に切込みを形成し、厚紙を折ることにより一対の支持脚部を形成する際に、蓋部の両側に突出する突出部を有する第１切起こし部を形成し、この第１切起こし部の突出部が出荷箱の両側壁に当接可能とすることができる。このように、第１切起こし部の突出部を形成することにより、出荷箱が比較的大きいタイプの場合に、厚紙を節約することができる。
【００１３】
また、厚紙に切込みを形成し、厚紙を折ることにより一対の支持脚部を形成する際に、第１切起こし部とは反対側の蓋部に、蓋部の両側に突出する突出部を有する第２切起こし部を形成し、この第２切起こし部を支持脚部側に折ることにより、支持脚部のそれぞれ端面に、第２切起こし部に形成された切欠部がそれぞれ係止し、一対の支持脚部を連結することができる。このように、第２切起こし部に切欠部を形成し折ることにより、支持脚部を補強することができ、比較的大きなタイプの出荷箱に適用すると好適である。
【００１４】
一方、袋部は、シート両端部で袋綴じし、重ね合わされた上のシート部分に区画線を形成し、その区画線に沿って開口するように袋部側注水口部分を構成し、水収容底部に溶着部分を有しないようにできる。
【００１５】
また、袋部は、相対向する腹部を谷折りし、袋側注水口を形成するミシン目を有した上のシート部分が蓋部に固定し、水を収容したときに谷折り部分が開き収容空間を形成するようにできる。
【００１６】
このように、袋部を形成することにより、水収容底部に溶着部分がないため底部からの水漏れのおそれが少ない。また、谷折りした袋形状により、折り畳まれた状態ではコンパクトでスペースをとらず、かつ開いたときに十分な水収容空間を確保できる。
【００１７】
蓋部側注水口部分を形成する区画線に沿って開口したときに同時に袋部側注水口部分を形成する区画線を切離し、蓋部側注水口部分に舌片を形成するようにできる。このように、蓋部側注水口部分を開くと連動して袋部側注水口部分を形成する区画線が切れ、作業性もよい。蓋部側注水口部分に形成される舌片が防水壁となるとともに、蓋部側注水口部分に挿し込まれる花きの茎部分を舌片が保持固定できる。
【００１８】
袋部側注水口の開口縁の縦方向及び横方向の幅は、蓋部側注水口の開口縁の縦方向及び横方向の幅よりも大であるとすることができる。
【００１９】
また、蓋部の下面における蓋部側注水口の開口周縁の外側に、袋部の重ね合わされた上のシートを、周状の接着面を有し固定することができる。
【００２０】
このように、蓋部側注水口の開口縁と袋部側注水口の開口縁とが構成され、袋部側の開口縁が大きい（蓋部側注水口の開口縁が小さい）ため、花き類の切茎端部で袋を破ったり、又は収容される花き類が例えばトゲを有した花きの場合であっても、トゲで袋を破ったりするおそれが少ない。
【発明を実施するための最良の形態】
【００２１】
（実施例１）
以下、本発明の実施の形態につき、図面に示す実施例を参照して説明する。図１は本発明の鮮度保持容器１の斜視図、図２は図１の鮮度保持容器の展開図、
図３は図２のＡ−Ａ断面図である。鮮度保持容器１は、段ボール（厚紙）で形成された容器本体１０と、その容器本体１０に固定された袋部２０とを備えている。
【００２２】
容器本体１０は、切り花などの花きを収容する収容口を兼ねる注水口１１を有する蓋部１２と、その蓋部１２の両端に形成された一対の支持脚部１３,１３とを備えている。袋部２０は、柔軟性を有しかつ水を収容可能な非透水性シート（例えばポリエチレン製シート）で形成されている。
【００２３】
図２に示すように、容器本体１０は、段ボールに設けられた折り目線１４,１４に沿って折り曲げることにより、蓋部１２の両側に一対の支持脚部１３,１３が形成される。蓋部１２には、対向する長辺１５,１５から中央寄りに離間した位置に、長辺１５,１５と平行なミシン目線１６（区画線）が設けられている。このミシン目線１６の両端には、それぞれ山形状（又は台形状）のミシン目線１７,１７（区画線）が設けられている。ミシン目線１７,１７は、それぞれその頂部領域においてミシン目線１６とつながっている。
【００２４】
これらミシン目線１６及び１７,１７部分を押し込むことにより、ミシン目線１６及び１７,１７が切り離され開口し注水口１１が形成される。ミシン目線１６及び１７,１７が切り離されることにより、蓋部側注水口１１部分に長舌片１８,１８（舌片）と短舌片１９,１９（舌片）とが形成される。なお、ミシン目線１６及び１７,１７は、スリット（切り込み線）としてもよい。
【００２５】
図２及び図３で示すように、袋部２０は、シート両端部が袋綴じ（綴じ部２１,２１）され、シート長手方向の相対向する腹部が谷折り（谷折り部２２,２２）され、上下にシート（上シート２３,下シート２４）が重ね合わされた状態に形成されている。上シート２３には、長辺２５,２５から中央寄りに離間した位置に、長辺２５,２５と平行なミシン目線２６（区画線）が設けられている。このミシン線２６の両端には、ミシン目線２６と直交するミシン目線２７,２７（区画線）が設けられている。これらミシン目線２６及び２７,２７部分を押し込むことにより、ミシン目線２６及び２７,２７が切り離され開口し袋部側注水口２８が形成される。
【００２６】
袋部側注水口２８の開口縁の縦方向及び横方向の幅は、蓋側注水口１１の開口縁の縦方向及び横方向の幅よりも大になるように形成されている。すなわち袋部２０のミシン目線２６及び２７,２７の長さが、蓋部１２のミシン目線１６及び１７,１７の長さより大に形成されている。
【００２７】
そして、図４に示すように、蓋部１２の下面における蓋部側注水口１１の開口縁の外側に、袋部２０の重ね合わされた上のシート２３が、蓋部側注水口１１と袋部側注水口２８とが連通した状態で、接着部材（例えば接着のり）により固定されている。すなわち蓋部１２と袋部２０とが周状に接着面３０を有し固定されている。
【００２８】
次に、袋部２０の製造方法について説明する。
（１）断面が筒状（円筒状）のポリエチレン製シートの長尺のものを使用する。吹流し状態のシートの腹部両側から突き棒（又は突き板）を当てて予め谷折り部２２,２２を形成する。谷折り部２２,２２が形成されたシートは巻き取り装置に一旦巻き取られる。
（２）巻き取り装置から予め谷折り部２２,２２が形成された状態のシートを引出し、シート内の上のシート２３の下面に所定大きさのミシン目形成用の下敷きとなる敷き板を配置する。この敷き板を下敷きにして上のシート２３に刃（カッター）を当て、上のシート２３のみにミシン目線１６及び１７,１７を形成する。
【００２９】
（３）続いてシートを製造工程の下流方向に搬送し、シートの端部を所定幅の溶着しろをもって溶着し、その後溶着部の中心線にそって切断することにより、次の袋の端部が溶着された状態（綴じ部２１が形成された状態）となる。
（４）以降、ミシン目形成、搬送、溶着、切断の工程が繰返されることにより袋部２０が形成される。このように形成した袋部２０は、水を収容する底部に溶着部分を有しない構造にできる。
【００３０】
次に、本発明の鮮度保持容器１の使用例について説明する。図５は鮮度保持容器１を出荷箱４０（外箱）に配置した状態の側面断面図、図６は蓋部側注水口１１を開口し袋部２０が水を収容する状態にひろげられた状態を示す図である。出荷箱４０は、直方体を立てた形態をなし前面に開閉する蓋を有している。出荷箱４０の前面から鮮度保持容器１が納められ、支持脚部１３,１３により出荷箱４０内に据え置かれた状態に設けられる。すなわち蓋部１２をほぼ水平状態にして出荷箱４０内に鮮度保持容器１を据え置き、一対の支持脚部１３,１３の間に袋部２０が蓋部１２から垂下した状態に配置される。
【００３１】
蓋部側注水口１１部分を形成するミシン目線１６及び１７,１７部分を押し込むことにより、ミシン目線１６及び１７,１７が切り離され開口し注水口１１が形成される。このとき同時に袋部側注水口２８を形成するミシン目線２６及び２７,２７が切り離され開口し注水口２８が形成される。ミシン目線１６及び１７,１７が切り離されることにより、蓋部側注水口１１部分に長舌片１８,１８と短舌片１９,１９とが形成される。同時にミシン目線２６及び２７,２７が切り離されることにより、袋部側注水口２８部分に舌片（いずれも図示しない）が形成される。
【００３２】
開口した注水口１１（２８）から水を袋部２０内に注入すると、袋部２０の谷折り部２２,２２が開き収容空間が形成される。複数の切り花４１を注水口１１（２８）から差込み、切り花４１の切茎端部を袋部２０内の水部分４２に挿入する。切り花４１の茎部分が蓋部１２の注水口１１部分の長舌片１８,１８と短舌片１９,１９とにより保持される。鮮度保持容器１により切り花４１を出荷箱４０内において立てた状態で保持できる。注入する水の量は出荷箱４０（鮮度保持容器１）が倒れた場合にこぼれない程度が望ましい。
【００３３】
図６に示すように、袋部２０のひろげられた状態における縦方向（袋部２０の長辺２５と直交する方向（図２参照））の幅ｄｂ１と、蓋部側注水口１１の開口縁の縦方向（蓋部１２の長辺１５と直交する方向（図２参照））の幅ｄａ１とは、ｄｂ１＞ｄａ１の関係にある。また、袋部２０のひろげられた状態における横方向（袋部２０の長辺２５と平行方向）の幅ｄｂ２と、蓋部側注水口１１の開口縁の横方向（蓋部１２の長辺１５と平行方向）の幅ｄａ２とは、ｄｂ２＞ｄａ２の関係にある。これにより、切り花４１を挿入したときに、花の茎の端部で袋を破ったり、又は収容される切り花が例えばトゲを有した花の場合であっても、トゲで袋を破ったりするおそれがない。
【００３４】
図７は輸送時等に出荷箱４０が横倒しになった場合の状態を示す。鮮度保持容器１が横倒し状態になったときに、袋部２０内の水が蓋部１２の注水口１１から外部へ流出しない。すなわち蓋部１２の注水口１１を、蓋部１２の側辺から中央寄りに離間した位置に設けており、開口位置までの離間した部分が壁となり、袋部２０内の水が蓋部１２の開口部分から外へ移動するのを阻止し、袋部２０内に留まり水が流出しない。なお、機械化された市場などで荷捌き機で出荷箱を選別、搬送が行われる際に出荷箱が横になる状態も有り得るが、そのような場合においても水が外部に流出することを防止できる。
【００３５】
このように、鮮度保持容器１は、出荷箱４０内に据え置かれ支持脚部１３で動かないようにした構造のため、輸送中などにも切り花４１を立てた状態で安定して保持できる。常に水が供給され鮮度がよい状態を保持できる。また、段ボールからなる容器本体１０と非透水性シート（ポリエチレン製シート）で形成された袋部２０とで鮮度保持容器１が構成され、コスト的にも安くでき、かつ使用済みの容器を段ボールと袋とに分離すればリサイクルが容易にでき、段ボールを資源として再利用することも可能である。
【００３６】
また、鮮度保持容器１は、段ボールを折ることにより支持脚部１３,１３を形成でき、製造コストを安くでき、また水が収容される袋部２０を一対の支持脚部１３,１３で支えられ、袋部２０は縮まる方向には動かないので、輸送中の振動などに対しても安定し状態を維持できる。さらに、組立前は板状でかつ袋部２０も折りたたまれた状態を呈し、嵩張らず省スペースのため、保管、輸送が効率化できる。
【００３７】
さらに、輸送中に出荷箱４０が倒れた場合など、鮮度保持容器１が横倒し状態になったときには、蓋部１２の側辺から注水口１１の開口位置までの離間した部分が壁となり、袋部２０内の水が外へ流出しない。また、注水口１１部分の舌片１８(又は１９)で防止壁を形成しさらに水の流出防止効果を高められる。
【００３８】
また、袋部２０は、シート両端部で袋綴じして形成しており、水収容底部に溶着部分がないため底部からの水漏れのおそれがない。また、谷折りした袋形状により、折り畳まれた状態ではコンパクトでスペースをとらず、かつ開いたときに十分な水収容空間を確保できる。
【００３９】
（実施例２）
図８は第２実施例の斜視図、図９は図８の鮮度保持容器５０の展開図である。鮮度保持容器５０は、段ボール（厚紙）で形成された容器本体６０と、その容器本体６０に固定された袋部２０と、容器本体６０に着脱自在に取付けられるフレーム７０（連結部材）とを備えている。
【００４０】
図９に示すように、フレーム７０は、段ボール（厚紙）で形成され全体ほぼ矩形状をなし長辺７１,７１の長さが蓋部１２の長辺１５の長さと同じに形成され、長辺の７１の一方の辺に短辺７２,７２から離間した位置に短辺７２,７２に平行な一対の溝部７３,７３（切欠部）が形成されている。一対の溝部７３,７３の間には台形状の切欠部７４が形成され、この切欠部７４と溝部７３,７３がつながる部分に長辺７１よりも突出する突出部７５,７５が形成されている。
【００４１】
一方、容器本体６０には、折り目線１４,１４と直交する支持脚部１３,１３の辺１３ａ,１３ａに折り目線１４,１４から離間した位置に折り目線１４,１４と平行な溝部１３ｂ,１３ｂ（切欠部）が形成されている。容器本体６０の溝部１３ｂ,１３ｂは、組立時にフレーム７０の溝部７３,７３（切欠部）と係合するように構成されている。
【００４２】
次に、本発明鮮度保持容器５０の使用例について説明する。図１０は鮮度保持容器５０を出荷箱４０に配置した状態の側面断面図である。容器本体６０の折り目線１４,１４に沿って折り曲げて、蓋部１２の両側に支持脚部１３,１３を形成した後、その支持脚部１３,１３の溝部１３ｂ,１３ｂにフレーム７０の溝部７３,７３を係合・係止させ、フレーム７０により支持脚部１３,１３の下端が相互に近づくように傾斜した状態に連結している。
【００４３】
組み立てられた鮮度保持容器５０は、フレーム７０部分が出荷箱４０の奥部（後部）に位置するように配置され、支持脚部１３,１３とフレーム７０により出荷箱４０内に据え置かれた状態に設けられる。すなわち蓋部１２をほぼ水平状態にして出荷箱４０内に鮮度保持容器５０を据え置き、一対の支持脚部１３,１３の傾斜した脚部間に袋部２０が蓋部１２から垂下した状態に配置される。フレーム７０は、蓋部１２と平行でほぼ水平な状態でかつ水が収容された袋部２０の腹部の位置に配置される。図１０において袋部２０の水部分４２の水位はフレーム７０の位置よりも低くしている。
【００４４】
図１１は輸送時等に出荷箱４０が横倒しになった場合の状態を示す。鮮度保持容器５０が横倒し状態になったときに、フレーム７０（フレーム７０の切欠部７４）が袋部２０の腹部に当接して、フレーム７０が壁となり蓋部１２の注水口１１方向への袋部２０の水の移動を阻止する。従って、第２実施例の場合、横倒し時には、フレーム７０による水の流出防止と、第１実施例と同様の蓋部１２の壁による水の流出防止との２段階の流出防止機能を備えている。なお、図８〜１１において、実施例１（図１、２、５及び７）と同一の機能を有する部分には同一の符号を付して説明を省略する。
【００４５】
このように、フレーム７０を設けることにより、支持脚部１３,１３を補強し、鮮度保持容器５０を安定した形態（立てた状態）にでき、鮮度保持容器５０が自立した状態となるため、水も入れ易く、出荷箱４０に置くだけでよい。フレーム７０の両端が出荷箱４０の両側壁に当接して動かないため、鮮度保持容器５０が安定する。
【００４６】
また、横倒し状態になったとしてもフレーム７０が防水壁となり、前述の蓋部１２による防水壁と２重の壁を形成し、水が一層流出しにくい効果を奏する。さらに、支持脚部１３,１３の傾斜した脚部間に袋部２０が蓋部１２から垂下した状態に配置され、柔軟性を有する袋部２０の底部が狭められた状態となり水が中央寄りに集められるため（水がロスとなる角隅部にはいかないため）、少ない水で有効な水深を保つことができ、水の無駄がない。
【００４７】
（変形例１）
図１２は鮮度保持容器の変形例を示す。図１３は図１２のＢ−Ｂ断面図である。実施例１及び２に（実施例２を代表させ図８を例とし）次のような変形を加えている。この鮮度保持容器８０では、容器本体９０の蓋部１２の下面における蓋部側注水口１１の開口周縁の外側に、段ボールからなる補強部材９１を周状に接着部材により固定している。袋部２０の重ね合わされた上のシート２３が、この補強部材９１の下面に蓋部側注水口１１と袋部側注水口２８とが連通した状態で、接着部材により固定されている。すなわちこの補強部材９１の部分がすなわち蓋部１２と袋部２０との接着面となっている。なお、図１２及び１３において、実施例２（図８）と同一の機能を有する部分には同一の符号を付して説明を省略する。
【００４８】
このように、補強部材８１を設けることにより、蓋部１２を補強し、袋部２０に水を収容した場合に、その重みによる蓋部１２の撓みを抑制している。
【００４９】
（変形例２）
図１４は鮮度保持容器の他の変形例を示す。図１５は図１４の鮮度保持容器の展開図である。実施例１及び２に（実施例２を代表させ図８及び９を例とし）次のような変形を加えている。この鮮度保持容器１００では、蓋部１２の注水口１１ａが大きく形成されている場合の例を示している。ミシン目線１６ａ,１７ａ,１７ａは、切り離されたときに開口が大きくなるように形成されている。容器本体１１０の蓋部１２の一方の長辺１５ａに連設して長辺１５と同じ長さでかつ所定幅の補強用折り返し片１１１を設けている。折り目線１１２から蓋部１２下面側に折り曲げ、その折り返し片１１１を蓋部１２下面に接着部材により固定している。この折り返し片１１１の部分を含み、蓋部１２の下面に袋部２０の上のシート２３を接着部材により固定している。すなわちこの折り返し片１１１の部分を含んで蓋部１２と袋部２０との接着面が形成されている。
【００５０】
このように蓋部１２の注水口１１の開口が大きく形成された場合、蓋部１２と袋部２０との接着部分が弱くなるが、折り返し片１１１を設けることにより、蓋部１２が補強され、撓みを抑えることができる。また、折り返し片１１１を容器本体１１０に一体的に形成しており、補強部材を別型で打抜きで形成するのに比べ製造コストを安くできる。なお、注水口１１の開口縁に対し、蓋部１２の長辺からの離間距離が短い辺側（長辺１５ａ側）に折り返し片１１１を形成したが、注水口１１の開口の大きさによっては、反対側の長辺１５ｂ側部分にも同様の折り返し片を形成することができる。
【００５１】
なお、注水口１１の形状は、矩形状（実施例１及び２では長方形状）に限定されることなく、楕円形状、円形状としてもよい。
【００５２】
（変形例３）
図１６は鮮度保持容器のさらに他の変形例を示す。出荷箱は切り花の種類、大きさに応じて箱の大きさも複数種類が設定されている。出荷箱１６０が中程度の大きさの場合に対応した鮮度保持容器１２０の例を示している。この鮮度保持容器１２０では、容器本体１３０の蓋部１３２がほぼ正方形状をなし、蓋部１３２のほぼ中央部に円形状の注水口１３１を設けている。蓋部１３２の下面における蓋部側注水口１３１の開口縁の外側に、袋部１４０の重ね合わされた上のシートが、蓋部側注水口１３１と袋部側注水口とが連通した状態で、接着部材により固定されている。蓋部１３２の両側に段ボールを折り曲げることにより一対の支持脚部１３３,１３３が形成される。その支持脚部１３３,１３３をフレーム１５０で連結している。支持脚部１３３,１３３とフレーム１５０とはそれぞれ溝部（図示しない）を有し、溝部を係合・係止させ、フレーム１５０により支持脚部１３３,１３３の下端が相互に近づくように傾斜した状態に連結している。
【００５３】
組み立てられた鮮度保持容器１２０は支持脚部１３３,１３３とフレーム１５０により出荷箱１６０内に据え置かれた状態に設けられる。蓋部１３２をほぼ水平状態にして出荷箱１６０内に鮮度保持容器１２０を据え置き、一対の支持脚部１３３,１３３の傾斜した脚部間に袋部１４０が蓋部１３２から垂下した状態に配置される。注水口１３１部分は複数のスリット線１３５が形成され、スリット線１３５部分を押し込むことにより舌辺１３６が形成される。
【００５４】
このように鮮度保持容器１２０を構成しており、支持脚部１３３,１３３とフレーム１５０により容器を安定した状態に保つことができる。蓋部１３２も大きく、かつ蓋部１３２の大きさに比較し注水口１３１の大きさが小さく、特別な補強なしに蓋部１３２は撓むことなく、切り花の保持が可能である。中程度の大きさの出荷箱１６０に適した鮮度保持容器１２０を提供できる。なお、フレーム１５０を有しない構成とすることも可能である。
【００５５】
（実施例３）
図１７は第３実施例の斜視図、図１８は図１７の鮮度保持容器の展開図である。第３実施例では出荷箱２４０が比較的大きいタイプの場合に適した鮮度保持容器２００の例を示している。鮮度保持容器２００は、段ボール（厚紙）で形成された容器本体２１０と、その容器本体２１０に固定された袋部２２０とを備えている。
【００５６】
容器本体２１０は、切り花などの花きを収容する収容口を兼ねる注水口２１１を有する蓋部２１２と、その蓋部２１２の両端に形成された一対の支持脚部２１３,２１３とを備えている。袋部２２０は、柔軟性を有しかつ水を収容可能な非透水性シート（例えばポリエチレン製シート）で形成されている。
【００５７】
図１８に示すように、容器本体２１０は、段ボールに設けられた折り目線２１４,２１４に沿って折り曲げることにより、蓋部２１２の両側に一対の支持脚部２１３,２１３が形成される。折り目線２１４,２１４につながってミシン目線２１５,２１５が形成されている。折り目線２１４,２１４に沿って折り曲げた際に、蓋部２１２の両側に一対の突出片２１６ａ,２１６ａを有する第１切起こし部２１６が形成される。
【００５８】
また、折り目線２１４,２１４につながって、ミシン目線２１５,２１５と反対側にミシン目線２１７,２１７が形成されている。折り目線２１４,２１４に沿って折り曲げた際に、第１切起こし部２１６と反対側において蓋部２１２の両側に一対の突出片２１８ａ,２１８ａを有する第２切起こし部２１８が形成される。第２切起こし部２１８に、折り目線２１４,２１４と直交する方向に折り目線２１９が形成されている。また、第２切起こし部２１８には、折り目線２１４,２１４に一致する線上に一対の溝部２１８ｂ,２１８ｂ（切欠部）が形成されている。
【００５９】
折り目線２１９に沿って第２切起こし部２１８を支持脚部２１３,２１３側に折り曲げることによって、溝部２１８ｂ,２１８ｂが支持脚部２１３,２１３の端面２１３ａ,２１３ａに係止して、第２切起こし部２１８によって支持脚部２１３,２１３を連結し補強する。
【００６０】
蓋部２１２には、折り目線２１４,２１４から中央寄りに離間した位置に、折り目線２１４,２１４と平行なミシン目線２０６が設けられている。このミシン目線２０６の両端には、それぞれ山形状（又は台形状）のミシン目線２０７,２０７が設けられている。ミシン目線２０７,２０７は、それぞれその頂部領域においてミシン目線２０６とつながっている。これらミシン目線２０６及び２０７,２０７の部分を押し込むことにより、ミシン目線２０６及び２０７,２０７が切り離され開口し注水口２１１が形成される。ミシン目線２０６及び２０７,２０７が切り離されることにより、蓋部側注水口２１１部分に舌片２０８,２０８と舌片２０９,２０９とが形成される。なお、ミシン目線２０６及び２０７,２０７は、スリット（切り込み線）としてもよい。
【００６１】
袋部２２０は、シート両端部が袋綴じ（綴じ部２２１,２２１）され、シート長手方向の相対向する腹部が谷折りされ、上下にシートが重ね合わされた状態に形成されている。上シートには、長辺２２５,２２５から中央寄りに離間した位置に、長辺２２５,２２５と平行なミシン目線２２６が設けられている。このミシン線２２６の両端には、ミシン目線２２６と直交するミシン目線２２７,２２７が設けられている。これらミシン目線２２６及び２２７,２２７部分を押し込むことにより、ミシン目線２２６及び２２７,２２７が切り離され開口し袋部側注水口が形成される。
【００６２】
そして、蓋部２１２の下面における蓋部側注水口２１１の開口縁の外側に、袋部２２０の重ね合わされた上のシートが、蓋部側注水口１１と袋部側注水口とが連通した状態で、接着部材により固定されている。
【００６３】
このように構成された鮮度保持容器２００を、第１切起こし部２１６が出荷箱２４０の奥部壁（後部壁）に当接し、突出片２１６ａ,２１６ａが出荷箱２４０の両側壁に当接するように配置できる。このように、第１切起こし部２１６の突出片２１６ａ,２１６ａを形成することにより、段ボールの使用量を節約することができる。また、第２切起こし部２１８を折り曲げることにより、支持脚部２１３,２１３を補強することができ、鮮度保持容器２００を安定した状態に立てることができる。
【００６４】
さらに、出荷箱２４０が横倒しになった場合に、鮮度保持容器２００が横倒し状態になっても蓋部２１２の中央寄りに注水口２１１を設けており、蓋部２１２の辺から開口位置までの離間した部分が壁となり、袋部２２０内の水は外部に流出しない。蓋部２１２も大きく、かつ蓋部２１２の大きさに比較し注水口２１１の大きさが小さく、特別な補強なしに蓋部２１２は撓むことなく、切り花の保持が可能である。このような鮮度保持容器２００は、比較的大きな出荷箱２４０に使用すると好適である。
【図面の簡単な説明】
【００６５】
【図１】本発明の鮮度保持容器の斜視図。
【図２】図１の鮮度保持容器の展開図。
【図３】図２のＡ−Ａ断面図。
【図４】鮮度保持容器の上面図。
【図５】鮮度保持容器の使用例の一例を示す側面断面図。
【図６】袋部のひろげられた状態を示す側面断面図。
【図７】鮮度保持容器を配置した出荷箱の横倒し状態を示す側面断面図。
【図８】第２実施例の鮮度保持容器の斜視図。
【図９】図８の鮮度保持容器の展開図。
【図１０】図８の鮮度保持容器の使用例の一例を示す側面断面図。
【図１１】図８の鮮度保持容器を配置した出荷箱の横倒し状態を示す側面断面図。
【図１２】鮮度保持容器の変形例を示す斜視図。
【図１３】図１２のＢ−Ｂ断面図。
【図１４】鮮度保持容器の他の変形例を示す斜視図。
【図１５】図１４の鮮度保持容器の展開図。
【図１６】鮮度保持容器のさらに他の変形例を示す斜視図。
【図１７】第３実施例の鮮度保持容器の斜視図。
【図１８】図１７の鮮度保持容器の展開図。
【符号の説明】
【００６６】
１,５０,８０,１００,１２０,２００    鮮度保持容器
１０,６０,９０,１１０,１３０,２１０  容器本体
１１,１３１,２１１  蓋部側注水口
１２,１３２,２１２  蓋部
１３,１３３,２１３  支持脚部
１３ｂ  溝部（切欠部）
１４  折り目線
１６,１７  ミシン目線（区画線）
１８,１９  舌片
２０,１４０,２２０  袋部
２１  綴じ部
２２  谷折り部
２３  上シート
２６,２７  ミシン目線（区画線）
２８  袋部側注水口
３０  接着面
４０,１６０,２４０  出荷箱（外箱）
４２  水部分
７０,１５０  フレーム（連結部材）
７３  溝部（切欠部）
２１４  折り目線
２１５  ミシン目線
２１６  第１切起こし部
２１６ａ  突出片（突出部）
２１７  ミシン目線
２１８  第２切起こし部
２１８ａ  突出片（突出部）
２１８ｂ  溝部（切欠部）
２１９  折り目線
【要約】
【課題】コストが安く、リサイクルが容易にでき、輸送中も安定して花き類を保持し、横倒し時も水が流出しにくい鮮度保持容器を提供することを課題とする。
【解決手段】鮮度保持容器１は、段ボールで形成された容器本体１０と、その容器本体１０に固定された袋部２０とを備えている。容器本体１０は、切り花などの花きを収容する収容口を兼ねる注水口１１を有する蓋部１２と、その蓋部１２の両端に形成された一対の支持脚部１３,１３とを備えている。切り花４１の切茎端部を袋部２０内の水部分４２に挿入する。切り花４１の茎部分が蓋部１２の注水口１１部分の長舌片１８,１８と短舌片１９,１９とにより保持され、出荷箱４０内において立てた状態で保持できる。
【選択図】図５
【図１】
0003590056.tif 000002
【図２】
0003590056.tif 000003
【図３】
0003590056.tif 000004
【図４】
0003590056.tif 000005
【図５】
0003590056.tif 000006
【図６】
0003590056.tif 000007
【図７】
0003590056.tif 000008
【図８】
0003590056.tif 000009
【図９】
0003590056.tif 000010
【図１０】
0003590056.tif 000011
【図１１】
0003590056.tif 000012
【図１２】
0003590056.tif 000013
【図１３】
0003590056.tif 000014
【図１４】
0003590056.tif 000015
【図１５】
0003590056.tif 000016
【図１６】
0003590056.tif 000017
【図１７】
0003590056.tif 000018
【図１８】
0003590056.tif 000019